(57)【要約】【課題】コンパクトに折り畳んだ状態で輸送することのできる簡易な構成の折り畳み容器を提供する。【解決手段】  折り畳み可能な紙製のシート体２と、木製の薄板からなる枠構造１６からなる折り畳み容器１であって、シート体２は、互いに平行な第１の辺３,３と、第２の辺４，４を有する底面５と、第１の側片６，６と、第２の側片７，７を備え、枠構造１６は、第１の側片６，６の内面６ａ,６ａにそれぞれ貼着される第１の枠体１７,１７と、第１の枠体１７,１７に連結される第２の枠体１８,１８からなり、第２の側片７，７は、第１の側片６，６と第２の側片７，７を接合するための接合辺１２,１２がそれぞれ設けられるとともに、第２の辺４に対してそれぞれ傾斜する傾斜折り目１５ａ,１５ｂが形成される。【選択図】図１
0003223144.tif 000002
【実用新案登録請求の範囲】
【請求項１】
折り畳み可能なシート体と、このシート体の周縁部に取り付けられる枠構造からなる折り畳み容器であって、
前記シート体は、互いに平行な一対の第１の辺と、この第１の辺に直交し、かつ互いに平行な一対の第２の辺を有する四角形状の底面と、一対の前記第１の辺からそれぞれ延設される一対の第１の側片と、一対の前記第２の辺からそれぞれ延設される一対の第２の側片を備え、
前記枠構造は、一対の前記第１の側片の内面又は外面にそれぞれ貼着される一対の第１の枠体と、前記枠構造をその上方向から見た場合に、この枠構造が四角形状をなすように、それぞれ一対の前記第１の枠体に連結される一対の第２の枠体からなり、
前記第１及び第２の側片は、それぞれ前記底面の前記第１及び第２の辺に平行な第１及び第２の上縁と、前記第１及び第２の辺に直交する第１及び第２の両側縁を有し、
前記第１の両側縁及び前記第２の両側縁の少なくとも一方は、前記第１の側片と前記第２の側片を接合するための一対の接合辺がそれぞれ設けられ、
前記第２の側片は、前記第２の辺に対してそれぞれ傾斜する一対の傾斜折り目が形成され、
一対の前記傾斜折り目は、この傾斜折り目同士の間隔が前記第２の上縁から前記第２の辺に至るにつれて拡張するように形成されることを特徴とする折り畳み容器。
【請求項２】
前記第１の枠体は、この第１の枠体が前記第１の側片に貼着される場合に、前記第１の辺に対向する第１の上端面と、この第１の上端面に対して直交する第１の両側端部を備え、
前記第２の枠体は、この第２の枠体が前記第１の枠体に連結される場合に、前記第２の辺に対向する第２の上端面と、この第２の上端面に対して直交する第２の両側端部を備え、
前記第１の両側端部は、この第１の両側端部に沿って直線状をなす一対の第１の係合部がそれぞれ形成され、
前記第２の両側端部は、直線状をなし一対の前記第１の係合部に係合する一対の第２の係合部がそれぞれ形成されることを特徴とする請求項１に記載の折り畳み容器。
【請求項３】
一対の前記接合辺は、その周縁形状が角部を有しない曲線状をなすことを特徴とする請求項１又は請求項２に記載の折り畳み容器。
【請求項４】
前記シート体は紙からなり、前記第１及び第２の枠体はそれぞれ木製の薄板からなることを特徴とする請求項１乃至請求項３のいずれか１項に記載の折り畳み容器。
【考案の詳細な説明】
【技術分野】
【０００１】
本考案は、食品を収容する折り畳み容器に係り、特に、コンパクトに折り畳んだ状態で輸送することのできる簡易な構成の折り畳み容器に関する。
【背景技術】
【０００２】
従来、食品を収容するための容器として、例えば紙製の折り畳み容器や、分解や折り畳みが不能な組み立て済の木箱が使用されてきた。
しかし、紙製の容器は、折り畳むことで一度に大量の輸送や保管をすることができる一方、強度が弱いために食品を詰め込んだ後、変形や破損が起こり易いという課題があった。これに対し、木箱では、強度を有しているため変形等を防止できるものの、製造に手間がかかるという課題があった。また、木箱は折り畳み不能なために、輸送時に嵩張って一度に大量の輸送や保管をすることが困難であるという課題もあった。
そこで、近年、折り畳み可能であり、かつある程度の強度を有した容器が開発されており、それに関して既にいくつかの発明又は考案が開示されている。
【０００３】
特許文献１には「簡易組立二重側壁容器」という名称で、側壁の強度を高めた紙材からなる組立容器に関する発明が開示されている。
以下、特許文献１に開示された発明について説明する。特許文献１に開示された発明は、矩形状の底板と、この底板の各辺に対向する２対の側壁部を備える容器において、少なくとも一対の側壁部は二重側壁部であり、かつその空間内部にほぼ密に一層乃至多層のコルゲート層（波形シート層）を備えた段ボールシートを主体とする装填材を介在させたことを特徴とする。
このような特徴を有する発明においては、二重側壁部の内部に装填材を介在させているため、容器全体の剛性及び強度を安定に保持できるとともに、段ボールシートの外圧に対する緩衝作用によって容器の内容物をその衝撃から保護できる。また、比較的剛性の少ない薄いシート材料を使用しても、容器の剛性及び強度を十分に保持できるので、シート材料費の節減が可能となる。さらに、容器を偏平に折り畳み可能なことにより運搬等に便利であるとともに、使用開始時には側壁部を立ち起こして固定できるため、組み立て作業の負荷も軽減可能である。
【０００４】
次に、特許文献２には「木質弁当容器」という名称で、木製の板材と紙材からなる弁当容器に関する考案が開示されている。
特許文献２に開示された考案は、底面部と、この底面部の短手方向及び長手方向の両側辺にそれぞれ連結する一対の第１側面部及び第２側面部を有する板材と、底面部と第２側面部との間に貼着して、弁当容器が展開した状態を保つように設けた端面封着紙を備え、板材の表面は補強層で被覆され、第１側面部と底面部の境界、及び第２側面部と底面部の境界は、それぞれ板材の厚さの半分程度に至るまで切り込まれて形成された折溝が設けられることを特徴とする。
このような特徴を有する考案においては、弁当容器を使用しない状態において、第１側面部は折溝において底面部の表面に接触するように折り畳み、第２側面部も折溝において第１側面部上に接触するように折り畳むことができる。よって、弁当容器を収納、または運送する場合の収納空間を効率良く節減することができる。また、板材の表面は補強層で被覆されることから、折り畳み時における折溝の割れを防止可能である。したがって、補強層により、弁当容器の製造過程や使用時における板材の破損を抑制し、歩留まりを高めることができる。
【先行技術文献】
【特許文献】
【０００５】
【特許文献１】特開平１０−７２０２６号公報
【特許文献２】実用新案登録第３１３４１１１号公報
【考案の概要】
【考案が解決しようとする課題】
【０００６】
しかしながら、特許文献１に開示された発明においては、四箇所の角部に装填材が備えられていない。そのため、この角部の強度は、装填材が備えられる側壁部の強度よりも明らかに弱いと考えられる。すなわち、特許文献１に開示された発明においては、角部という脆弱部が存在するから、内容物を収容した際に、その重量や容器の持ち方によっては、この角部が破損するおそれがある。
【０００７】
次に、特許文献２に開示された考案においては、板材に折溝を形成し、かつ補強層で被覆するという工程が煩雑である。よって、製造の手間やコストが軽減されない可能性がある。
また、第１側面部は、折溝を介して底面部と接続されているが、第２側面部とは分離している。さらに、対向する一対の第２側面部の両端同士は、端面封着紙のみによって連結されている。すなわち、一対の第２側面部を起こした場合、端面封着紙のみによって、第２側面部の上縁同士が離れ過ぎることが防止され、その結果弁当容器が箱状に維持される。なお、端面封着紙の具体的な材質は不明であるが、一般的に、紙の強度は木材の強度よりも弱い。このことから、第１側面部が起こされて弁当容器に内容物が収容された際に、第１側面部に対しその内側から加わる圧力によって、端面封着紙が破損し、箱形状を維持できない可能性がある。
【０００８】
本考案は、このような従来の事情に対処してなされたものであり、煩雑な工程を経ることなく容易に製造可能であるとともに、折り畳み可能なために嵩張らず一度の輸送量や保管量を増加させ、しかも破損を招き易い脆弱部が存在しないことで使用時の箱形状を維持することのできる形状保持性に優れた折り畳み容器を提供することを目的とする。
【課題を解決するための手段】
【０００９】
上記目的を達成するため、第１の考案は、折り畳み可能なシート体と、このシート体の周縁部に取り付けられる枠構造からなる折り畳み容器であって、シート体は、互いに平行な一対の第１の辺と、この第１の辺に直交し、かつ互いに平行な一対の第２の辺を有する四角形状の底面と、一対の第１の辺からそれぞれ延設される一対の第１の側片と、一対の第２の辺からそれぞれ延設される一対の第２の側片を備え、枠構造は、一対の第１の側片の内面又は外面にそれぞれ貼着される一対の第１の枠体と、枠構造をその上方向から見た場合に、この枠構造が四角形状をなすように、それぞれ一対の第１の枠体に連結される一対の第２の枠体からなり、第１及び第２の側片は、それぞれ底面の第１及び第２の辺に平行な第１及び第２の上縁と、第１及び第２の辺に直交する第１及び第２の両側縁を有し、第１の両側縁及び第２の両側縁の少なくとも一方は、第１の側片と第２の側片を接合するための一対の接合辺がそれぞれ設けられ、第２の側片は、第２の辺に対してそれぞれ傾斜する一対の傾斜折り目が形成され、一対の傾斜折り目は、この傾斜折り目同士の間隔が第２の上縁から第２の辺に至るにつれて拡張するように形成されることを特徴とする。
【００１０】
このような構成の考案において、折り畳み可能なシート体として、例えば紙が使用される。また、第１及び第２の枠体は、シート体を構成する第１及び第２の側片をそれぞれ補強する補強部材であって、例えば、木製や発泡樹脂製の平板材が使用される。さらに、第１の枠体を第１の側片の内面又は外面にそれぞれ貼着する際には、例えば接着剤や両面テープが使用される。そして、接合辺とは、第１の側片と第２の側片を接合するための糊代であるので、この接合辺の片面又は両面にも接着剤や両面テープが付加される。
【００１１】
上記構成の考案においては、折り畳み容器を折り畳む場合、以下の（ａ）乃至（ｅ）の手順で行う。
まず、（ａ）第１の枠体に連結された第２の枠体を、第１の枠体から取り外す。
次に、（ｂ）シート体の一対の第２の側片を、一対の第２の辺において、シート体の底面の上方から見てそれぞれ谷折りし、シート体の底面の上に重ねる。
続いて、（ｃ）シート体の一対の第１の側片を、一対の第１の辺において、底面の上方から見てそれぞれ谷折りする。
さらに、（ｄ）第２の側片は、一対の傾斜折り目が形成されていることから、各傾斜折り目において、例えば第２の側片の外面側からみてそれぞれ谷折りにすると、一対の第１の側片が、その第１の上縁同士が近づくように倒れる。
最後に、（ｅ）一対の第１の側片を、先に折り畳まれた一対の第２の側片の上に完全に重なるまで倒すと、折り畳み容器は略板状となり、完全な折り畳み状態になる。
【００１２】
一方、第１の考案である折り畳み容器を使用する場合、上記とは逆の手順にて第１及び第２の側片を起こすと、折り畳み容器は板状から箱状に変化する。最後に、一対の第２の枠体を、一対の第１の枠体にそれぞれ連結すると、折り畳み容器の箱状態が維持される。このとき、一対の第２の枠体は、一対の第２の側片とそれぞれ分離したままの状態にある。
しかし、一対の第２の枠体は、枠構造をその上方向から見た場合に、この枠構造が略四角形状をなすように、それぞれ一対の第１の枠体に連結される。よって、箱状となった折り畳み容器に現れた四箇所の角部は、シート体からなる第１の側片と第２の側片同士が接合されることに加えて、第１の枠体の両端部と第２の枠体の両端部が互いに連結されて形成されたものである。この構成により、折り畳み容器の角部では、破損が発生し難くなる。また、折り畳み容器の角部以外の部分も、第１の側片と第２の側片は、それぞれ第１の枠体と第２の枠体によって補強されているため、脆弱部には該当しない。したがって、折り畳み容器には脆弱部が存在しないことになる。
【００１３】
次に、第２の考案は、第１の考案において、第１の枠体は、この第１の枠体が第１の側片に貼着される場合に、第１の辺に対向する第１の上端面と、この第１の上端面に対して直交する第１の両側端部を備え、第２の枠体は、この第２の枠体が第１の枠体に連結される場合に、第２の辺に対向する第２の上端面と、この第２の上端面に対して直交する第２の両側端部を備え、第１の両側端部は、この第１の両側端部に沿って直線状をなす一対の第１の係合部がそれぞれ形成され、第２の両側端部は、直線状をなし一対の第１の係合部に係合する一対の第２の係合部がそれぞれ形成されることを特徴とする。
このような構成の考案において、直線状をなす第１の係合部として、例えば、溝部が考えられる。この場合、直線状をなす第２の係合部として、第１の係合部である溝部に係合する突出部が考えられる。これ以外にも、溝部と突出部が入れ替わり、第１の係合部が突出部であり、かつ第２の係合部が溝部であっても良い。
【００１４】
上記構成の考案においては、第１の考案の作用に加えて、第１の枠体における一対の第１の係合部に対し、第２の枠体における一対の第２の係合部をそれぞれ係合させる箇所が、枠構造を構成する四箇所の角部となる。そして、そのまま第２の係合部を第１の係合部に沿った状態で第２の枠体を下降させると、四角形状の枠構造が完成する。
また、完成した枠構造においては、第２の枠体が下降したことにより、第２の側片に形成された一対の傾斜折り目が折り畳まれることが防止されるとともに、第２の側片が収容された食品の圧力や偏りによって破損することが防止される。
【００１５】
続いて、第３の考案は、第１又は第２の考案において、一対の接合辺は、その周縁形状が角部を有しない曲線状をなすことを特徴とする。
このような構成の考案においては、第１又は第２の考案の作用に加えて、一対の接合辺の周縁形状が角部を有しない曲線状をなすことから、接合辺が接合対象から剥がれ難い。
【００１６】
さらに、第４の考案は、第１乃至第３のいずれかの考案において、シート体は紙からなり、第１及び第２の枠体はそれぞれ木製の薄板からなることを特徴とする。
このような構成の考案において、紙や薄板の材質、厚み、強度は、折り畳み容器に収容する食品の種類によって、適宜選択される。
上記構成の考案においては、第１乃至第３のいずれかに記載の考案の作用に加えて、折り畳み容器は適宜選択された紙と木製の薄板からなることから、適切な強度を有するとともに、軽量である。また、使用後に廃棄する際、紙と薄板を分別する必要のない場合が多いことから、折り畳み容器を再度折り畳むことのみで廃棄が可能となる。
【考案の効果】
【００１７】
第１の考案によれば、シート体と、第１及び第２の枠体という少ない部品点数によって折り畳み容器を製造することができる。また、シート体は、四角形状の底面と、一対の第１及び第２の側片を備えるように、シート体をカットすることで得られ、枠構造は、シート体の第１及び第２の側片の形状と一致するように、第１及び第２の枠体を成形することで得られるので、材料の加工が容易である。さらに、一対の第２の側片の一対の第１の辺に、一対の第１の枠体をそれぞれ接着剤等で貼着することで、折り畳み容器を完成することができる。したがって、煩雑な工程を経ることなく、安価かつ容易に折り畳み容器を製造することができる。
【００１８】
また、折り畳み容器においては、前述の手順（ａ）乃至（ｅ）によって、簡単に板状の折り畳み状態にすることができる。また、この手順と逆の手順によって、折り畳まれた折り畳み容器を素早く箱状に変化させることができる。よって、第１の考案によれば、折り畳み容器の梱包や、使用する際に必要な準備時間を短縮することができ、作業効率が向上する。
さらに、第１の考案によれば、折り畳み可能なために嵩張らず一度の輸送量や保管量を増加させることができるので、輸送や保管のためのコストを削減することができる。しかも、第１の考案は、破損を招き易い脆弱部が存在しないことから、食品の重量や持ち方に関わらず、使用時の箱形状を強固に維持することが可能である。
【００１９】
第２の考案によれば、第１の考案の効果に加えて、第２の係合部を第１の係合部に沿った状態で第２の枠体を下降させることのみで四角形状の枠構造が形成されることから、シート体を補強する補強部材を簡単に形成できる。また、第２の考案によれば、第１の係合部に対し、第２の係合部をそれぞれ係合させる箇所が、枠構造の四箇所の角部となるので、収容された食品の圧力や偏り、また外から加えられた衝撃によっても角部が破損し難く、第２の考案に対する顧客からの高い信頼性を得ることが期待できる。
【００２０】
第３の考案によれば、第１又は第２の考案の効果に加えて、例えば、接合辺が第１の側片の外面や第１の枠体の外面に接合されて、他の物と直接接触し得る場合であっても、接合辺が剥がれてしまうことを防止できる。
【００２１】
第４の考案によれば、第１乃至第３のいずれかの考案の効果に加えて、折り畳み容器は適切な強度を有するとともに、軽量であるので、個人が片手で保持したり、業者が大量搬送したりする場合にも負担が少ない。また、使用後には、折り畳み容器を再度折り畳むことのみで廃棄が可能となるため、手間がかからず使い勝手が良い。
【図面の簡単な説明】
【００２２】
【図１】（ａ）は第１の実施の形態に係る折り畳み容器を斜め上方から見た場合の外観図であり、（ｂ）は同折り畳み容器を構成するシート体の展開図である。
【図２】（ａ）は第１の実施の形態に係る折り畳み容器を構成する枠構造の展開図であり、（ｂ）は同枠構造を構成する第１及び第２の係合部を、図１（ａ）におけるＡ線方向からみた場合の正面図であり、（ｃ）は（ｂ）で示された第１及び第２の係合部の変形例を、（ｂ）と同方向からみた場合の正面図である。
【図３】（ａ）は折り畳まれる途中の第１の実施の形態に係る折り畳み容器を、斜め上方から見た場合の外観図であり、（ｂ）は完全に折り畳まれた同折り畳み容器を、図１（ｂ）におけるＡ線方向からみた場合の正面図である。
【図４】（ａ）は第１の実施の形態の変形例に係る折り畳み容器を斜め上方から見た場合の外観図であり、（ｂ）は同折り畳み容器を構成するシート体の展開図である。
【図５】（ａ）は折り畳まれる途中の第１の実施の形態の変形例に係る折り畳み容器を、斜め上方から見た場合の外観図であり、（ｂ）は完全に折り畳まれた同折り畳み容器を、図１（ａ）におけるＡ線方向からみた場合の正面図である。
【考案を実施するための形態】
【実施例】
【００２３】
本考案の第１の実施の形態に係る折り畳み容器について、図１乃至図３を用いて詳細に説明する。図１（ａ）は第１の実施の形態に係る折り畳み容器を斜め上方から見た場合の外観図であり、図１（ｂ）は同折り畳み容器を構成するシート体の展開図である。
図１（ａ）に示すように、実施例に係る折り畳み容器１は、折り畳み可能なシート体２と、このシート体２の周縁部に取り付けられる枠構造１６からなる折り畳み容器である。また、折り畳み容器１は、使用時に、所定の幅Ｗと、この幅Ｗよりも長い奥行Ｌと、所定の高さＨを有し、かつ四箇所に折り畳み容器１の角部１ａがそれぞれ形成される箱状となり主にその内部空間に食品を収容する弁当箱として使用されるものである。
なお、図１（ａ）においては、箱状へ形成される直前の折り畳み容器１の外観が示されている。
【００２４】
折り畳み容器１を構成するシート体２は、具体的には、一枚の紙が、図１（ｂ）に示すような形状にカットされて形成されたものである。この紙の材質、厚み、強度は、折り畳み容器１に収容する食品の種類によって、適宜選択されると良い。
図１（ｂ）に示すように、シート体２は、互いに平行な一対の第１の辺３，３と、この第１の辺３，３に直交し、かつ互いに平行な一対の第２の辺４，４を有する長方形状の底面５と、一対の第１の辺３，３からそれぞれ延設される一対の第１の側片６，６と、一対の第２の辺４，４からそれぞれ延設される一対の第２の側片７，７を備える。なお、図１（ｂ）は、底面５の両面のうち、食品が載置される内面５ａを上方からみた場合の、シート体２を示したものである。
このうち、第１の側片６は、底面５の第１の辺３に平行な第１の上縁８と、第１の辺３に直交する第１の両側縁９，９を有する。また、第１の側片６の両面のうち、底面５の内面５ａに連なる面が内面６ａであり、この内面６ａの裏側の面が外面６ｂである。
一方、第２の側片７は、底面５の第２の辺４に平行な第２の上縁１０と、第２の辺４に直交する第２の両側縁１１，１１を有する。そして、第１の側片６と同様に、第２の側片７の両面のうち、底面５の内面５ａに連なる面が内面７ａであり、この内面７ａの裏側の面が外面７ｂ（図１（ａ）参照）である。
【００２５】
さらに、第２の両側縁１１，１１は、第１の側片６，６と第２の側片７，７を接合するための一対の接合辺１２,１２がそれぞれ設けられる。詳細には、接合辺１２,１２は、それぞれ略台形状をなすとともに、接着剤（図示せず）がその両面に塗布されることで、図１（ａ）に示すように、第１の側片６と、後述する第１の枠体１７の間に挟まれ、第１の側片６の内面６ａと、第１の枠体１７の外面１７ｄ（図２（ｂ）参照）へ同時に固着される。
そして、接合辺１２,１２と、第１の側片６との境界は、それぞれ楔形の切れ込み１３，１３が設けられている。この切れ込み１３，１３は、接合辺１２,１２の面積をより大きく確保するために設けられたものである。
【００２６】
また、底面５は、第１の側片６，６の第１の上縁８,８同士を互いに近づけるように、第１の側片６，６を倒すための折り目１４ａ，１４ａが形成される。この折り目１４ａ，１４ａは、第１の辺３，３と一致して設けられるものであり、底面５の内面５ａを上方からみた場合に、谷折りするものである。
なお、この折り目１４ａ，１４ａよりもやや底面５の中心寄りに設けられる仮想線１４ｂ，１４ｂは、折り目１４ａから後述する第１の枠体１７の厚み分の間隔を空けて設けられる仮想の直線であって、後述する一対の傾斜折り目１５ａ,１５ｂの第２の辺４寄りの各端部の位置を決定するために利用されるものである。
さらに、底面５は、第２の側片７，７の第２の上縁１０,１０同士を互いに近づけるように倒すための折り目１４ｃ，１４ｃが形成される。この折り目１４ｃ，１４ｃは、第２の辺４，４と一致して設けられるものであり、底面５の内面５ａを上方からみた場合に、谷折りするものである。
【００２７】
次に、第２の側片７は、第２の辺４に対してそれぞれ傾斜する一対の傾斜折り目１５ａ,１５ｂが形成される。一対の傾斜折り目１５ａ,１５ｂは、この傾斜折り目１５ａ,１５ｂ同士の間隔が第２の上縁１０から第２の辺４に至るにつれて拡張するように形成されるとともに、第２の側片７の外面７ｂからみて、いずれも谷折りにされる。具体的には、一方の傾斜折り目１５ａが第２の辺４から起こされる角度θａの大きさは４５度である。同様に、他方の傾斜折り目１５ｂが第２の辺４から起こされる角度θｂの大きさも４５度である。
なお、一対の第２の側片７，７において、傾斜折り目１５ａ,１５ｂの第２の辺４寄りの各端部は、それぞれ仮想線１４ｂ，１４ｂの両端に一致している。
【００２８】
次に、折り畳み容器１を構成する枠構造１６について、図２を用いながら、詳細に説明する。図２（ａ）は第１の実施の形態に係る折り畳み容器を構成する枠構造の展開図であり、図２（ｂ）は同枠構造を構成する第１及び第２の係合部を、図１（ａ）におけるＡ線方向からみた場合の正面図であり、図２（ｃ）は図２（ｂ）で示された第１及び第２の係合部の変形例を、図２（ｂ）と同方向からみた場合の正面図である。なお、図１で示した構成要素については、図２においても同一の符号を付して、その説明を省略する。
図２（ａ）に示すように、枠構造１６は、一対の第１の枠体１７,１７と、一対の第２の枠体１８,１８を材料として形成される。第１の枠体１７と、第２の枠体１８は、いずれも木製の薄板が長さの異なる長方形状に成形されたものである。この薄板の材質、厚み、強度は、折り畳み容器１に収容する食品の種類によって、適宜選択されると良い。
このうち、第１の枠体１７,１７は、各両端寄りの範囲を除いて、一方の面が第１の側片６，６の内面６ａ,６ａ（図１（ｂ）参照）にそれぞれ接着剤（図示せず）を用いて貼着される。よって、第１の枠体１７,１７は、それぞれ第１の側片６，６と分離不能である。
【００２９】
続いて、第１の枠体１７及び第２の枠体１８の構成について、さらに説明を加える。
図２（ａ）及び図２（ｂ）に示すように、第１の枠体１７は、この第１の枠体１７が第１の側片６に貼着される場合に、第１の辺３（図１（ｂ）参照）に対向する第１の上端面１７ａと、この第１の上端面１７ａに対して直交する第１の両側端部１７ｂ,１７ｂを備える。そして、第１の枠体１７の両面のうち、第１の側片６に貼着されない面が内面１７ｃであり、この内面１７ｃの裏側の、第１の側片６に貼着される面が外面１７ｄである。
また、第２の枠体１８は、この第２の枠体１８が第１の枠体１７に連結される場合に、第２の辺４（図１（ｂ）参照）に対向する第２の上端面１８ａと、この第２の上端面１８ａに対して直交する第２の両側端部１８ｂ,１８ｂを備える。第２の枠体１８の両面のうち、第２の側片７の内面７ａに接触しない面が内面１８ｃであり、この内面１８ｃの裏側の、第２の側片７の内面７ａに接触する面が外面１８ｄである。
【００３０】
さらに、第１の両側端部１７ｂ,１７ｂは、一対の第１の係合部１９,１９がそれぞれ形成される。同様に、第２の両側端部１８ｂ,１８ｂは、一対の第２の係合部２０，２０がそれぞれ形成される。
具体的には、第１の係合部１９，１９とは、第１の枠体１７の内面１７ｃ側に設けられる溝部（メス構造）であって、第１の両側端部１７ｂ,１７ｂに沿ってそれぞれ直線状をなしている。また、第２の係合部２０，２０とは、第２の両側端部１８ｂ,１８ｂから外方へそれぞれ突出する突出部（オス構造）であって、第２の両側端部１８ｂ,１８ｂに沿ってそれぞれ直線状をなす。
【００３１】
したがって、図２（ｂ）に示すように、第２の係合部２０，２０は、第１の係合部１９,１９にそれぞれ係合可能である。これにより、第２の枠体１８,１８は、枠構造１６をその上方向から見た場合に、この枠構造１６が四角形状をなすように、それぞれ第１の枠体１７,１７に連結される。よって、収容された食品の圧力等によって、第２の枠体１８が外れ、その外面１８ｄ方向に移動することが防止される。
しかし、第２の枠体１８,１８は、それぞれ第１の枠体１７,１７に分離不能に固着されているのではない。そのため、第２の枠体１８,１８を、それぞれ第１の枠体１７,１７の間に上方からスライドさせて挿入したり、第１の枠体１７,１７の間から抜き出したりすることができる。このように、第２の枠体１８,１８が第１の枠体１７,１７に対して着脱可能であることが一つの理由となって、折り畳み容器１を略板状に折り畳んだり、箱状に組み立てたりすることが可能となるのである。
【００３２】
なお、第１の係合部１９の幅は折り畳み容器１の幅Ｗ方向に沿って一定であり、第２の係合部２０の幅も幅Ｗに沿って一定である。
そして、上記のような第１の係合部１９,１９と第２の係合部２０，２０の係合箇所が、枠構造１６を構成する四箇所の角部１６ａとなり、さらにこの角部１６ａには、その外側に、シート体２の第２の側片７と、第１の側片６が貼着されている。
【００３３】
次に、図２（ｃ）を用いて、第１及び第２の係合部の変形例について、説明する。
図２（ｃ）に示すように、第１の係合部１９及び第２の係合部２０の変形例として、例えば、第１の係合部１９ａ及び第２の係合部２０ａが考えられる。これらの係合部の第１の側片６及び第２の側片７に対する配置は、第１の係合部１９及び第２の係合部２０の配置と同様である。したがって、第１の係合部１９ａ及び第２の係合部２０ａは、第１の係合部１９及び第２の係合部２０と同様に、第２の枠体１８が外面１８ｄ方向に移動することが防止される。
しかし、第１の係合部１９ａの幅は折り畳み容器１の幅Ｗ方向に沿って広くなり、第２の係合部２０ａの幅も幅Ｗ方向に沿って広くなっている点が、第１の係合部１９と、第２の係合部２０の場合と異なっている。そのため、第１の枠体１７,１７が互いに遠ざかる方向へ移動し、第２の係合部２０ａ，２０ａから第１の係合部１９ａ,１９ａが外れることが防止される。
【００３４】
続いて、実施例に係る折り畳み容器の折り畳み方法について、図３を用いて説明する。図３（ａ）は折り畳まれる途中の第１の実施の形態に係る折り畳み容器を、斜め上方から見た場合の外観図であり、図３（ｂ）は完全に折り畳まれた同折り畳み容器を、図１（ｂ）におけるＡ線方向からみた場合の正面図である。なお、図１及び図２で示した構成要素については、図３においても同一の符号を付して、その説明を省略する。
図３（ａ）で示すように、箱状に形成された折り畳み容器１を折り畳む場合、まず、（ａ）第１の枠体１７,１７の間に挿入され、連結された第２の枠体１８,１８（図１，２参照）を、それぞれ第１の枠体１７,１７から抜き出して取り外す。なお、図３（ａ）では第１の枠体１７,１７から第２の枠体１８,１８が取り去られた後の状態が示されている。
次に、（ｂ）第２の側片７,７にそれぞれ形成された一対の傾斜折り目１５ａ,１５ｂを、第２の側片７の外面７ｂからみていずれも谷折りにし、第２の側片７,７をそれぞれ底面５の内面５ａの方に倒すようにする。
続いて、（ｃ）第１の側片６，６を、折り目１４ａ，１４ａ（図１（ｂ）参照）において、底面５の内面５ａの上方からみてそれぞれ谷折りする。
さらに、（ｄ）傾斜折り目１５ａ,１５ｂをより強く折り畳むと、第２の上縁１０,１０同士が近づくように第２の側片７，７が倒れ込むとともに、第１の上縁８,８同士が近づくように第１の側片６，６も倒れ込む。
最後に、（ｅ）第１の側片６，６を、先に折り畳まれた第２の側片７，７の上に完全に重なるまで倒す。
【００３５】
上記の手順（ａ）乃至手順（ｅ）により、図３（ｂ）に示すように、折り畳み容器１は略板状となり、完全な折り畳み状態になる。
これに対し、上記とは逆の手順にて第１の側片６，６と第２の側片７，７を起こすと、折り畳み容器１は略板状から箱状に変化する。その後、図１（ａ）に示したように、第２の枠体１８の第２の係合部２０，２０を、それぞれ第１の枠体１７の第１の係合部１９,１９にそれぞれ係合させ、第１の枠体１７,１７と第２の枠体１８,１８を連結すると、折り畳み容器１の箱状態が維持される。このとき、第２の枠体１８は、第２の側片７と分離したままの状態にあって、かつ第１の枠体１７,１７にも固着されていない。そのため、第２の枠体１８を第１の枠体１７,１７の間から抜き出し可能であり、折り畳み容器１を容易に折り畳むことができる。
【００３６】
このような構成の折り畳み容器１は、少なくとも以下の工程（１）〜（３）によって製造される。
最初に、工程（１）として、シート体２を図１（ａ）で示した形状にカットするとともに、第１の枠体１７,１７及び第２の枠体１８,１８を図２（ａ）で示した形状に成形する。
次に、工程（２）として、カットされたシート体２の第１の側片６，６の内面６ａ,６ａに対し、接着剤を用いて第１の枠体１７,１７の外面１７ｄ,１７ｄをそれぞれ貼着する。このとき、第１の両側端部１７ｂ,１７ｂ寄りの一定範囲は、後に接合辺１２,１２との貼着のため、内面６ａ,６ａへは貼着しないでおく。
さらに、工程（３）として、折り目１４ａ，１４ａ及び折り目１４ｃ，１４ｃをそれぞれ谷折りにして第１の側片６，６と、第２の側片７，７を、底面５から起こして立たせ、第２の側片７に設けられた接合辺１２,１２を、第１の側片６の内面６ａと第１の枠体１７の外面１７ｄの間に挟んで、外面１７ｄと、接合辺１２と、内面６ａを互いに貼り合わせる。
ここまでの工程により、シート体２自体が箱状に形成されるとともに、シート体２の第１の側片６，６が、第１の枠体１７,１７によってそれぞれ補強された折り畳み容器１が製造される。
【００３７】
なお、工程（４）として、図１（ａ）で示したように、第２の枠体１８,１８を第１の枠体１７,１７の間に挿入することによって、第２の側片７，７も第２の枠体１８,１８によってそれぞれ補強されることになる。ただし、工程（４）は、必ずしも工程（１）乃至（３）の直後に実施されなくても良い。
【００３８】
工程（１）乃至工程（３）によって製造された折り畳み容器１では、図３（ｂ）を用いて説明したように、折り畳み容器１を略板状に折り畳んだ状態に維持できる。
これに対し、工程（１）乃至工程（４）によって製造された折り畳み容器１では、シート体２自体が箱状に形成されるとともに、第２の枠体１８,１８がそれぞれ第１の係合部１９,１９に連結されて、枠構造１６が完成される。
よって、箱状となった折り畳み容器１に現れた四箇所の角部１ａは、第１の側片６，６と第２の側片７，７同士が接合されて形成された構成に加え、第１の枠体１７,１７の第１の両側端部１７ｂ,１７ｂと第２の枠体１８,１８の第２の両側端部１８ｂ,１８ｂが互いに連結されて形成された角部１６ａからなる。この構成により、四箇所の角部１ａでは、破損が発生し難くなる。また、角部１ａ以外の部分も、第１の側片６，６と第２の側片７，７が、それぞれ第１の枠体１７,１７と第２の枠体１８,１８によって補強されているため、脆弱部には該当しない。したがって、折り畳み容器１には脆弱部が存在しないことになる。
また、折り畳み容器１は、厚みや強度が適宜選択されたシート体２と枠構造１６からなることから、適切な強度を有するとともに、軽量である。
【００３９】
以上、説明したように、折り畳み容器１は、紙からなるシート体２と、木製の薄板からなる第１の枠体１７,１７及び第２の枠体１８,１８を材料として製造することができる。よって、材料の調達や加工を容易かつ安価に行うことができ、迅速な大量製造も可能である。また、工程（１）乃至工程（４）は、いずれも簡単に実施できる工程であるから、製造工程の観点からも、容易かつ安価に折り畳み容器１を製造可能である。
また、折り畳み容器１は、第２の枠体１８,１８を第１の枠体１７,１７の間に挿入しないことで略板状のコンパクトな折り畳み状態を維持できるため、嵩張らず一度の輸送量や保管量を増加させることができる。よって、輸送や保管のためのコストを削減することができる。
【００４０】
さらに、折り畳み容器１は、第２の枠体１８,１８を第１の枠体１７,１７の間に挿入したり、この間から取り出したりするという簡易な手順により、折り畳み状態と使用可能な状態を切り替えることができる。そのため、非常に使い勝手が良い上に、折り畳み容器１の梱包や、使用する際に必要な準備時間を短縮することができ、作業効率が向上する。
このうち、折り畳み容器１が使用可能な状態にある場合では、折り畳み容器１に脆弱部が存在しないので、食品の重量や使用者による持ち方に関わらず、使用時の箱形状を強固に維持することが可能である。このほか、折り畳み容器１は、紙と木製の板材からなるため、使用後にシート体２と枠構造１６を分別する必要がないことに加え、折り畳み容器１を再度折り畳むことのみで廃棄が可能となるため、廃棄に際しても手間がかからず使い勝手が良い。
【００４１】
次に、第１の実施の形態の変形例に係る折り畳み容器について、図４及び図５を用いて詳細に説明する。図４（ａ）は第１の実施の形態の変形例に係る折り畳み容器を斜め上方から見た場合の外観図であり、図４（ｂ）は同折り畳み容器を構成するシート体の展開図である。図５（ａ）は折り畳まれる途中の第１の実施の形態の変形例に係る折り畳み容器を、斜め上方から見た場合の外観図であり、図５（ｂ）は完全に折り畳まれた同折り畳み容器を、図１（ａ）におけるＡ線方向からみた場合の正面図である。なお、図１乃至図３で示した構成要素については、図４及び図５においても同一の符号を付して、その説明を省略する。
図４（ａ）に示すように、実施例の変形例に係る折り畳み容器１Ａは、実施例の折り畳み容器１のシート体２の代わりに、シート体２１を備える。ただし、折り畳み容器１の枠構造１６は、折り畳み容器１Ａにも備えられている。
なお、図４（ａ）においては、箱状へ形成される直前の折り畳み容器１Ａの外観が示されている。
【００４２】
折り畳み容器１Ａを構成するシート体２１は、具体的には、一枚の紙が、図４（ｂ）に示すような形状にカットされて形成されたものである。
図４（ｂ）に示すように、シート体２１は、折り畳み容器１の第２の側片７，７にそれぞれ設けられる一対の接合辺１２,１２（図１（ｂ）参照）の代わりに、一対の接合辺２２,２２が設けられる。この接合辺２２は、その周縁形状が角部を有しない略半円状をなすことから、二箇所の角部を有する接合辺１２,１２に比べて、接合対象から剥がれ難い。
さらに、シート体２１は、折り畳み容器１の楔形の切れ込み１３（図１（ｂ）参照）の代わりに、長方形状の切れ込み２３が、第１の側片６と接合辺２２の境界部にそれぞれ設けられる。これ以外のシート体２１の構成は、折り畳み容器１のシート体２の構成と同様である。
【００４３】
また、実施例に係る折り畳み容器１では、図１（ｂ）で示したように、第１の側片６，６が第１の枠体１７,１７の外面１７ｄ,１７ｄにそれぞれ貼着されていたのに対し、変形例に係る折り畳み容器１Ａでは、第１の側片６，６が第１の枠体１７,１７の内面１７ｃ,１７ｃにそれぞれ貼着される。ただし、折り畳み容器１Ａの４つの接合辺２２は、折り畳み容器１の接合辺１２と同様に、第１の枠体１７の外面１７ｄにそれぞれ貼着される。
すなわち、第１の側片６と、接合辺２２が、それぞれ上記のように貼着されるには、第１の側片６の第１の両側縁９と、第２の側片７の内面７ａとの間に、第２の枠体１８の厚み分程度の隙間が必要であるから、この隙間として、切れ込み２３が設けられている。
なお、折り畳み容器１Ａでは、第１の側片６と第２の側片７が、第１の枠体１７と接合辺２２を介して接合されている。このような構成も、第１の側片６と第２の側片７が接合辺２２を介して接合されているものとする。これ以外の変形例に係る折り畳み容器１Ａの構成は、実施例に係る折り畳み容器１の構成と同様である。
【００４４】
図５（ａ）及び図５（ｂ）にそれぞれ示すように、変形例に係る折り畳み容器１Ａでは、すべての接合辺２２が、第１の枠体１７,１７の外面１７ｄ,１７ｄ上に露出している。そのため、接合辺２２は他の物と直接接触することになるが、接合辺２２が角部を有しない略半円形状をなしているために、折り畳み容器１の接合辺１２（図１（ｂ）参照）と比較して一層剥がれ難くなっている。また、接合辺２２が略半円形状をなすことで、見る者に柔らかな印象を与えることもできる。これ以外の変形例に係る折り畳み容器１Ａの作用及び効果は、実施例に係る折り畳み容器１の作用及び効果とそれぞれ同様である。
【００４５】
なお、本考案に係る折り畳み容器は、実施例に示すものに限定されない。例えば、折り畳み容器１において、シート体２と枠構造１６の材料は、それぞれ紙と木製の薄板の組み合わせ以外、例えば、紙と発泡性樹脂製の薄板の組み合わせであっても良い。
また、接合辺１２,１２は、第１の側片６と第１の枠体１７の間に挟まれる代わりに、第１の側片６の外面６ｂに貼着されても良い。さらに、折り畳み容器１において、接合辺１２,１２は、第２の側片７の第２の両側縁１１，１１に設けられる代わりに、第１の側片６の第１の両側縁９，９に設けられても良い。
このほか、第２の側片７に設けられる傾斜折り目１５ａ,１５ｂは、第２の側片７の外面７ｂからみて、いずれも山折りにされても良い。
【産業上の利用可能性】
【００４６】
本考案は、食品を収容する折り畳み容器として利用可能である。
【符号の説明】
【００４７】
１,１Ａ…折り畳み容器  １ａ…角部  ２…シート体  ３…第１の辺  ４…第２の辺  ５…底面  ５ａ…内面  ６…第１の側片  ６ａ…内面  ６ｂ…外面  ７…第２の側片  ７ａ…内面  ７ｂ…外面  ８…第１の上縁  ９…第１の両側縁  １０…第２の上縁  １１…第２の両側縁  １２…接合辺  １３…切れ込み  １４ａ…折り目  １４ｂ…仮想線  １４ｃ…折り目  １５ａ,１５ｂ…傾斜折り目  １６…枠構造  １６ａ…角部  １７…第１の枠体  １７ａ…第１の上端面  １７ｂ…第１の両側端部  １７ｃ…内面  １７ｄ…外面  １８…第２の枠体  １８ａ…第２の上端面  １８ｂ…第２の両側端部  １８ｃ…内面  １８ｄ…外面  １９…第１の係合部  １９ａ…第１の係合部  ２０…第２の係合部  ２０ａ…第２の係合部  ２１…シート体  ２２…接合辺  ２３…切れ込み 
【図１】
0003223144.tif 000003
【図２】
0003223144.tif 000004
【図３】
0003223144.tif 000005
【図４】
0003223144.tif 000006
【図５】
0003223144.tif 000007